【手続補正書】
【提出日】令和3年6月24日(2021.6.24)
【手続補正１】
【補正対象書類名】特許請求の範囲
【補正対象項目名】全文
【補正方法】変更
【補正の内容】
【特許請求の範囲】
【請求項１】
装置であって、前記装置は、
第１のユーザから第２のユーザへのコマンドを決定するための手段と、
前記コマンドを、現在再生されているメディアアセットのための再生動作コマンドのセットと比較するための手段と、
前記比較することに応答して、前記コマンドが前記再生動作コマンドのセット内に含有されていないことを決定するための手段と、
前記コマンドが前記再生動作コマンドのセット内に含有されていないことを決定することに応答して、前記第２のユーザが前記コマンドの所望の結果を実行するかどうかを決定するための手段と、
前記第２のユーザが前記コマンドの前記所望の結果を実行しないことを決定することに応答して、前記メディアアセットの再生を修正するかどうかを決定するための手段と
を備える、装置。
【請求項２】
前記第１のユーザのユーザプロファイルおよび前記第２のユーザのユーザプロファイルに基づいて、前記コマンドの複数の結果から前記コマンドの前記所望の結果を決定するための手段と、
前記第２のユーザによって実行されるアクションを検出するための手段と
をさらに備え、
前記第２のユーザが前記コマンドの前記所望の結果を実行するかどうかを決定するための手段は、前記第２のユーザのアクションを前記コマンドの前記所望の結果と比較するように構成され、
前記メディアアセットの再生を修正するかどうかを決定するための手段は、前記第２のユーザのユーザプロファイルから前記第２のユーザの特性を読み出すことと、前記第１のユーザから検出される前記コマンドおよび前記第２のユーザの前記読み出された特性に基づいて、前記メディアアセットの再生を修正するかどうかを決定することとを行うように構成される、請求項１に記載の装置。
【請求項３】
前記第１のユーザから検出される前記コマンドおよび前記第２のユーザの前記読み出された特性に基づいて、前記メディアアセットの再生を修正するかどうかを決定するための手段は、前記第２のユーザの前記読み出された特性からの特性を前記コマンドと比較するための手段であって、前記特性は、年齢、ランク、他のユーザとの関係、および時刻から成る特性の群から選択され、前記コマンドは、食事、掃除、勉強、調理、および睡眠から成るコマンドの群から選択される、手段と、前記比較から、前記コマンドが前記第２のユーザの特性を共有するかどうかを決定するための手段と、前記コマンドが前記特性を共有することを決定することに応答して、前記メディアアセットの再生を修正するための手段とを備え、かつ／または、
前記所望の結果を決定するための手段は、第３のユーザのユーザプロファイルにさらに基づいて前記所望の結果を決定するように構成され、前記装置は、前記第３のユーザによって実行される第２のアクションを検出するための手段と、前記第３のユーザのアクションを前記コマンドの前記所望の結果と比較するための手段とをさらに備え、前記メディアアセットの再生を修正するかどうかを決定するための手段は、前記第２のユーザのアクションおよび前記第３のユーザのアクションが前記コマンドの前記所望の結果に対応しないことを決定することに応答して、前記第３のユーザのユーザプロファイルから前記第３のユーザの特性を読み出すことと、前記第１のユーザから検出される前記コマンドと前記第２のユーザの前記読み出された特性と前記第３のユーザの前記読み出された特性とに基づいて、前記メディアアセットの再生を修正するかどうかを決定することとを行うように構成される、請求項２に記載の装置。
【請求項４】
前記第１のユーザからの前記コマンドを検出するための手段は、
前記第１のユーザからの口頭入力を検出するための手段と、
前記口頭入力をコマンドのデータベースと比較するための手段であって、前記データベースは、各口頭入力に対応するコマンドを含有する、手段と、
前記比較から、前記第１のユーザからの前記口頭入力に対応するコマンドを決定するための手段と
を備える、請求項２に記載の装置。
【請求項５】
前記比較から、前記第１のユーザからの前記口頭入力に対応するコマンドを決定するための手段は、
前記口頭入力と前記口頭コマンドのデータベースとの間の合致を決定するための手段と、
前記合致に対応するコマンドを、前記第１のユーザからの前記口頭入力に対応する前記コマンドであると決定するための手段と
を備える、請求項４に記載の装置。
【請求項６】
前記第１のユーザのユーザプロファイルおよび前記第２のユーザのユーザプロファイルに基づいて、前記コマンドの複数の結果から前記コマンドの前記所望の結果を決定するための手段は、前記コマンドの属性を決定するための手段と、前記コマンドの属性を前記コマンドの前記複数の結果の属性と比較するための手段と、前記比較から、前記コマンドの属性を含有する前記複数の結果の中の結果を、前記所望の結果であると決定するための手段とをさらに備え、かつ／または
前記メディアアセットの再生を修正するかどうかを決定するための手段は、前記第１のユーザのランクおよび前記第２のユーザのランクを読み出すための手段と、前記ランクから、前記第１のユーザが前記第２のユーザよりも高くランク付けされているかどうかを決定するための手段と、前記第１のユーザが前記第２のユーザよりも高くランク付けされていることを決定することに応答して、前記メディアアセットの再生を修正するための手段と、前記第２のユーザが前記第１のユーザよりも高くランク付けされていることを決定することに応答して、前記メディアアセットを再生し続けるための手段とを含む、請求項２に記載の装置。
【請求項７】
前記第２のユーザによって実行されるアクションを検出するための手段は、
センサを使用して、前記メディアアセットを提示しているメディア機器デバイスの視聴環境から退出する前記第２のユーザを検出するための手段、
前記メディアアセットの再生を修正するコマンドを実行する前記第２のユーザを検出するための手段、
センサを使用して、前記第２のユーザがメディアアセットデバイスの前記視聴環境内に留まることを検出するための手段
のうちの少なくとも１つを含む、請求項２に記載の装置。
【請求項８】
方法であって、前記方法は、
第１のユーザから第２のユーザへのコマンドを決定することと、
前記コマンドを、現在再生されているメディアアセットのための再生動作コマンドのセットと比較することと、
前記比較することに応答して、前記コマンドが前記再生動作コマンドのセット内に含有されていないことを決定することと、
前記コマンドが前記再生動作コマンドのセット内に含有されていないことを決定することに応答して、前記第２のユーザが前記コマンドの所望の結果を実行するかどうかを決定することと、
前記第２のユーザが前記コマンドの前記所望の結果を実行しないことを決定することに応答して、前記メディアアセットの再生を修正するかどうかを決定することと
を含む、方法。
【請求項９】
前記メディアアセットは、前記第２のユーザによって現在再生されており、前記方法は、
前記第１のユーザのユーザプロファイルおよび前記第２のユーザのユーザプロファイルに基づいて、前記コマンドの複数の結果から前記コマンドの前記所望の結果を決定することと、
前記第２のユーザによって実行されるアクションを検出することと
をさらに含み、
前記第２のユーザが前記コマンドの前記所望の結果を実行するかどうかを決定することは、前記第２のユーザのアクションを前記コマンドの前記所望の結果と比較することを含み、
前記メディアアセットの再生を修正するかどうかを決定することは、前記第２のユーザのユーザプロファイルから前記第２のユーザの特性を読み出すことと、前記第１のユーザから検出される前記コマンドおよび前記第２のユーザの前記読み出された特性に基づいて、前記メディアアセットの再生を修正するかどうかを決定することとを含む、請求項８に記載の方法。
【請求項１０】
前記第１のユーザから検出される前記コマンドおよび前記第２のユーザの前記読み出された特性に基づいて、前記メディアアセットの再生を修正するかどうかを決定することは、前記第２のユーザの前記読み出された特性からの特性を前記コマンドと比較することであって、前記特性は、年齢、ランク、他のユーザとの関係、および時刻から成る特性の群から選択され、前記コマンドは、食事、掃除、勉強、調理、および睡眠から成るコマンドの群から選択される、ことと、前記比較から、前記コマンドが前記第２のユーザの特性を共有するかどうかを決定することと、前記コマンドが前記特性を共有することを決定することに応答して、前記メディアアセットの再生を修正することとを含み、かつ／または、
前記方法は、前記第１のユーザから前記第２のユーザおよび第３のユーザへのコマンドを検出することであって、前記所望の結果を決定することは、前記第３のユーザのユーザプロファイルにさらに基づく、ことと、前記第３のユーザによって実行される第２のアクションを検出することと、前記第３のユーザのアクションを前記コマンドの前記所望の結果と比較することと、前記第２のユーザのアクションおよび前記第３のユーザのアクションが前記コマンドの前記所望の結果に対応しないことを決定することに応答して、前記第３のユーザのユーザプロファイルから前記第３のユーザの特性を読み出すこととをさらに含み、前記メディアアセットの再生を修正するかどうかを決定することは、前記第３のユーザの前記読み出された特性にさらに基づく、請求項９に記載の方法。
【手続補正２】
【補正対象書類名】明細書
【補正対象項目名】００５９
【補正方法】変更
【補正の内容】
【００５９】
メディアガイドアプリケーションは、音声を減衰させる音量であるように、メディアアセットの再生に対応する音量を調節してもよい。例えば、メディアガイドアプリケーションは、可聴範囲内の音声の検出された音量よりも高い音量であるように、メディアアセットの再生音量を調節してもよい。
本発明は、例えば、以下を提供する。
（項目１）
方法であって、
第１のユーザから第２のユーザへのコマンドを決定することと、
前記コマンドを、現在再生されているメディアアセットのための再生動作コマンドのセットと比較することと、
前記比較することに応答して、前記コマンドが前記再生動作コマンドのセット内に含有されていないことを決定することと、
前記コマンドが前記再生動作コマンドのセット内に含有されていないことを決定することに応答して、前記第２のユーザが前記コマンドの所望の結果を実行するかどうかを決定することと、
前記第２のユーザが前記コマンドの所望の結果を実行しないことを決定することに応答して、前記メディアアセットの再生を修正するかどうかを決定することと
を含む、方法。
（項目２）
無関係なコマンドを関連する再生修正に変換し、前記コマンドを実行するように前記コマンドの受信者を促すための方法であって、前記方法は、
第１のユーザから第２のユーザへのコマンドを検出することと、
前記コマンドを、前記第２のユーザによって現在再生されているメディアアセットのための再生動作コマンドのセットと比較することと、
前記比較することに応答して、前記コマンドが前記再生動作コマンドのセット内に含有されていないことを決定することと、
前記第１のユーザのユーザプロファイルおよび前記第２のユーザのユーザプロファイルに基づいて、前記コマンドの複数の結果から前記コマンドの所望の結果を決定することと、
前記第２のユーザによって実行されるアクションを検出することと、
前記第２のユーザのアクションを前記コマンドの所望の結果と比較することと、
前記第２のユーザのアクションが前記コマンドの所望の結果に対応しないことを決定することに応答して、前記第２のユーザのユーザプロファイルから前記第２のユーザの特性を読み出すことと、
前記第１のユーザから検出される前記コマンドおよび前記第２のユーザの読み出された特性に基づいて、前記メディアアセットの再生を修正するかどうかを決定することと
を含む、方法。
（項目３）
前記第１のユーザから検出される前記コマンドおよび前記第２のユーザの読み出された特性に基づいて、前記メディアアセットの再生を修正するかどうかを決定することは、
前記第２のユーザの読み出された特性からの特性を前記コマンドと比較することであって、前記特性は、年齢、ランク、他のユーザとの関係、および時刻から成る特性の群から選択され、前記コマンドは、食事、掃除、勉強、調理、および睡眠から成るコマンドの群から選択される、ことと、
前記比較から、前記コマンドが前記第２のユーザの特性を共有するかどうかを決定することと、
前記コマンドが前記特性を共有することを決定することに応答して、前記メディアアセットの再生を修正することと
を含む、項目２に記載の方法。
（項目４）
前記第１のユーザから前記第２のユーザおよび第３のユーザへのコマンドを検出することと、
前記第１のユーザのユーザプロファイル、前記第２のユーザのユーザプロファイル、および前記第３のユーザのユーザプロファイルに基づいて、前記コマンドの複数の結果から前記コマンドの所望の結果を決定することと、
前記第２のユーザによって実行される第１のアクションおよび前記第３のユーザによって実行される第２のアクションを検出することと、
前記第２のユーザのアクションおよび前記第３のユーザのアクションを前記コマンドの所望の結果と比較することと、
前記第２のユーザのアクションおよび前記第３のユーザのアクションが前記コマンドの所望の結果に対応しないことを決定することに応答して、前記第２のユーザのユーザプロファイルから前記第２のユーザの特性を、前記第３のユーザのユーザプロファイルから前記第３のユーザの特性を読み出すことと、
前記第１のユーザから検出される前記コマンドおよび前記第２のユーザの読み出された特性および前記第３のユーザの読み出された特性に基づいて、前記メディアアセットの再生を修正するかどうかを決定することと
をさらに含む、項目２に記載の方法。
（項目５）
前記第１のユーザからの前記コマンドを検出することは、
前記第１のユーザからの口頭入力を検出することと、
前記口頭入力をコマンドのデータベースと比較することであって、前記データベースは、各口頭入力に対応するコマンドを含有する、ことと、
前記比較から、前記第１のユーザからの前記口頭入力に対応するコマンドを決定することと
を含む、項目２に記載の方法。
（項目６）
前記比較から、前記第１のユーザからの前記口頭入力に対応するコマンドを決定することは、
前記口頭入力と前記口頭コマンドのデータベースとの間の合致を決定することと、
前記合致に対応するコマンドを、前記第１のユーザからの前記口頭入力に対応する前記コマンドであると決定することと
を含む、項目５に記載の方法。
（項目７）
前記第１のユーザのユーザプロファイルおよび前記第２のユーザのユーザプロファイルに基づいて、前記コマンドの複数の結果から前記コマンドの所望の結果を決定することはさらに、
前記コマンドの属性を決定することと、
前記コマンドの属性を前記コマンドの複数の結果の属性と比較することと、
前記比較から、前記コマンドの属性を含有する前記複数の結果の中の結果を、前記所望の結果であると決定することと
を含む、項目２に記載の方法。
（項目８）
前記第２のユーザによって実行される前記アクションを検出することは、センサを使用して、前記メディアアセットを提示しているメディア機器デバイスの視聴環境から退出する前記第２のユーザを検出することを含む、項目２に記載の方法。
（項目９）
前記第２のユーザによって実行される前記アクションを検出することは、前記メディアアセットの再生を修正するコマンドを実行する前記第２のユーザを検出することを含む、項目２に記載の方法。
（項目１０）
前記第２のユーザによって実行される前記アクションを検出することは、センサを使用して、前記第２のユーザがメディアアセットデバイスの前記視聴環境内に留まることを検出することを含む、項目２に記載の方法。
（項目１１）
前記第１のユーザから検出される前記コマンドおよび前記第２のユーザの読み出された特性に基づいて、前記メディアアセットの再生を修正するかどうかを決定することは、
前記第１のユーザのランクおよび前記第２のユーザのランクを読み出すことと、
前記ランクから、前記第１のユーザが前記第２のユーザよりも高くランク付けされているかどうかを決定することと、
前記第１のユーザが前記第２のユーザよりも高くランク付けされていることを決定することに応答して、前記メディアアセットの再生を修正することと、
前記第２のユーザが前記第１のユーザよりも高くランク付けされていることを決定することに応答して、前記メディアアセットを再生し続けることと
を含む、項目２に記載の方法。
（項目１２）
無関係なコマンドを関連する再生修正に変換し、前記コマンドを実行するように前記コマンドの受信者を促すためのシステムであって、前記システムは、
制御回路であって、
第１のユーザから第２のユーザへのコマンドを検出することと、
前記コマンドを、前記第２のユーザによって現在再生されているメディアアセットのための再生動作コマンドのセットと比較することと、
前記比較することに応答して、前記コマンドが前記再生動作コマンドのセット内に含有されていないことを決定することと、
前記第１のユーザのユーザプロファイルおよび前記第２のユーザのユーザプロファイルに基づいて、前記コマンドの複数の結果から前記コマンドの所望の結果を決定することと、
前記第２のユーザによって実行されるアクションを検出することと、
前記第２のユーザのアクションを前記コマンドの所望の結果と比較することと、
前記第２のユーザのアクションが前記コマンドの所望の結果に対応しないことを決定することに応答して、前記第２のユーザのユーザプロファイルから前記第２のユーザの特性を読み出すことと、
前記第１のユーザから検出される前記コマンドおよび前記第２のユーザの読み出された特性に基づいて、前記メディアアセットの再生を修正するかどうかを決定することと
を行うように構成される、制御回路
を備える、システム。
（項目１３）
前記制御回路は、
前記第２のユーザの読み出された特性からの特性を前記コマンドと比較することであって、前記特性は、年齢、ランク、他のユーザとの関係、および時刻から成る特性の群から選択され、前記コマンドは、食事、掃除、勉強、調理、および睡眠から成るコマンドの群から選択される、ことと、
前記比較から、前記コマンドが前記第２のユーザの特性を共有するかどうかを決定することと、
前記コマンドが前記特性を共有することを決定することに応答して、前記メディアアセットの再生を修正することと
によって、前記第１のユーザから検出される前記コマンドおよび前記第２のユーザの読み出された特性に基づいて、前記メディアアセットの再生を修正するかどうかを決定するように構成される、項目１２に記載のシステム。
（項目１４）
前記制御回路はさらに、
前記第１のユーザから前記第２のユーザおよび第３のユーザへのコマンドを検出することと、
前記第１のユーザのユーザプロファイル、前記第２のユーザのユーザプロファイル、および前記第３のユーザのユーザプロファイルに基づいて、前記コマンドの複数の結果から前記コマンドの所望の結果を決定することと、
前記第２のユーザによって実行される第１のアクションおよび前記第３のユーザによって実行される第２のアクションを検出することと、
前記第２のユーザのアクションおよび前記第３のユーザのアクションを前記コマンドの所望の結果と比較することと、
前記第２のユーザのアクションおよび前記第３のユーザのアクションが前記コマンドの所望の結果に対応しないことを決定することに応答して、前記第２のユーザのユーザプロファイルから前記第２のユーザの特性を、前記第３のユーザのユーザプロファイルから前記第３のユーザの特性を読み出すことと、
前記第１のユーザから検出される前記コマンドおよび前記第２のユーザの読み出された特性および前記第３のユーザの読み出された特性に基づいて、前記メディアアセットの再生を修正するかどうかを決定することと
を行うように構成される、項目１２に記載のシステム。
（項目１５）
前記制御回路は、
前記第１のユーザからの口頭入力を検出することと、
前記口頭入力をコマンドのデータベースと比較することであって、前記データベースは、各口頭入力に対応するコマンドを含有する、ことと、
前記比較から、前記第１のユーザからの前記口頭入力に対応するコマンドを決定することと
によって、前記第１のユーザからの前記コマンドを検出するように構成される、項目１２に記載のシステム。
（項目１６）
前記制御回路は、
前記口頭入力と前記口頭コマンドのデータベースとの間の合致を決定することと、
前記合致に対応するコマンドを、前記第１のユーザからの前記口頭入力に対応する前記コマンドであると決定することと
によって、前記比較から、前記第１のユーザからの前記口頭入力に対応するコマンドを決定するように構成される、項目１５に記載の方法。
（項目１７）
前記制御回路はさらに、
前記コマンドの属性を決定することと、
前記コマンドの属性を前記コマンドの複数の結果の属性と比較することと、
前記比較から、前記コマンドの属性を含有する前記複数の結果の中の結果を、前記所望の結果であると決定することと
によって、前記第１のユーザのユーザプロファイルおよび前記第２のユーザのユーザプロファイルに基づいて、前記コマンドの複数の結果から前記コマンドの所望の結果を決定するように構成される、
項目１２に記載のシステム。
（項目１８）
前記制御回路は、センサを使用して、前記メディアアセットを提示しているメディア機器デバイスの視聴環境から退出する前記第２のユーザを検出することによって、前記第２のユーザによって実行される前記アクションを検出するように構成される、項目１２に記載のシステム。
（項目１９）
前記制御回路は、前記メディアアセットの再生を修正するコマンドを実行する前記第２のユーザを検出することによって、前記第２のユーザによって実行される前記アクションを検出するように構成される、項目１２に記載のシステム。
（項目２０）
前記制御回路は、センサを使用して、前記第２のユーザがメディアアセットデバイスの前記視聴環境内に留まることを検出することによって、前記第２のユーザによって実行される前記アクションを検出するように構成される、項目１２に記載のシステム。
（項目２１）
前記制御回路は、
前記第１のユーザのランクおよび前記第２のユーザのランクを読み出すことと、
前記ランクから、前記第１のユーザが前記第２のユーザよりも高くランク付けされているかどうかを決定することと、
前記第１のユーザが前記第２のユーザよりも高くランク付けされていることを決定することに応答して、前記メディアアセットの再生を修正することと、
前記第２のユーザが前記第１のユーザよりも高くランク付けされていることを決定することに応答して、前記メディアアセットを再生し続けることと
によって、前記第１のユーザから検出される前記コマンドおよび前記第２のユーザの読み出された特性に基づいて、前記メディアアセットの再生を修正するかどうかを決定するように構成される、項目１２に記載のシステム。
（項目２２）
無関係なコマンドを関連する再生修正に変換し、前記コマンドを実行するように前記コマンドの受信者を促すための装置であって、前記装置は、
第１のユーザから第２のユーザへのコマンドを検出するための手段と、
前記コマンドを、前記第２のユーザによって現在再生されているメディアアセットのための再生動作コマンドのセットと比較するための手段と、
前記比較することに応答して、前記コマンドが前記再生動作コマンドのセット内に含有されていないことを決定するための手段と、
前記第１のユーザのユーザプロファイルおよび前記第２のユーザのユーザプロファイルに基づいて、前記コマンドの複数の結果から前記コマンドの所望の結果を決定するための手段と、
前記第２のユーザによって実行されるアクションを検出するための手段と、
前記第２のユーザのアクションを前記コマンドの所望の結果と比較するための手段と、
前記第２のユーザのアクションが前記コマンドの所望の結果に対応しないことを決定することに応答して、前記第２のユーザのユーザプロファイルから前記第２のユーザの特性を読み出すための手段と、
前記第１のユーザから検出される前記コマンドおよび前記第２のユーザの読み出された特性に基づいて、前記メディアアセットの再生を修正するかどうかを決定するための手段と
を備える、装置。
（項目２３）
前記第１のユーザから検出される前記コマンドおよび前記第２のユーザの読み出された特性に基づいて、前記メディアアセットの再生を修正するかどうかを決定するための前記手段は、
前記第２のユーザの読み出された特性からの特性を前記コマンドと比較するための手段であって、前記特性は、年齢、ランク、他のユーザとの関係、および時刻から成る特性の群から選択され、前記コマンドは、食事、掃除、勉強、調理、および睡眠から成るコマンドの群から選択される、手段と、
前記比較から、前記コマンドが前記第２のユーザの特性を共有するかどうかを決定するための手段と、
前記コマンドが前記特性を共有することを決定することに応答して、前記メディアアセットの再生を修正するための手段と
を備える、項目２２に記載の装置。
（項目２４）
前記第１のユーザから前記第２のユーザおよび第３のユーザへのコマンドを検出するための手段と、
前記第１のユーザのユーザプロファイル、前記第２のユーザのユーザプロファイル、および前記第３のユーザのユーザプロファイルに基づいて、前記コマンドの複数の結果から前記コマンドの所望の結果を決定するための手段と、
前記第２のユーザによって実行される第１のアクションおよび前記第３のユーザによって実行される第２のアクションを検出するための手段と、
前記第２のユーザのアクションおよび前記第３のユーザのアクションを前記コマンドの所望の結果と比較するための手段と、
前記第２のユーザのアクションおよび前記第３のユーザのアクションが前記コマンドの所望の結果に対応しないことを決定することに応答して、前記第２のユーザのユーザプロファイルから前記第２のユーザの特性を、前記第３のユーザのユーザプロファイルから前記第３のユーザの特性を読み出すための手段と、
前記第１のユーザから検出される前記コマンドおよび前記第２のユーザの読み出された特性および前記第３のユーザの読み出された特性に基づいて、前記メディアアセットの再生を修正するかどうかを決定するための手段と
をさらに備える、項目２２に記載の装置。
（項目２５）
前記第１のユーザからの前記コマンドを検出するための前記手段は、
前記第１のユーザからの口頭入力を検出するための手段と、
前記口頭入力をコマンドのデータベースと比較するための手段であって、前記データベースは、各口頭入力に対応するコマンドを含有する、手段と、
前記比較から、前記第１のユーザからの前記口頭入力に対応するコマンドを決定するための手段と
を備える、項目２２に記載の装置。
（項目２６）
前記比較から、前記第１のユーザからの前記口頭入力に対応するコマンドを決定するための前記手段は、
前記口頭入力と前記口頭コマンドのデータベースとの間の合致を決定するための手段と、
前記合致に対応するコマンドを、前記第１のユーザからの前記口頭入力に対応する前記コマンドであると決定するための手段と
を備える、項目２５に記載の装置。
（項目２７）
前記第１のユーザのユーザプロファイルおよび前記第２のユーザのユーザプロファイルに基づいて、前記コマンドの複数の結果から前記コマンドの所望の結果を決定するための前記手段はさらに、
前記コマンドの属性を決定するための手段と、
前記コマンドの属性を前記コマンドの複数の結果の属性と比較するための手段と、
前記比較から、前記コマンドの属性を含有する前記複数の結果の中の結果を、前記所望の結果であると決定するための手段と
を備える、項目２２に記載の装置。
（項目２８）
前記第２のユーザによって実行される前記アクションを検出するための前記手段は、センサを使用して、前記メディアアセットを提示しているメディア機器デバイスの視聴環境から退出する前記第２のユーザを検出するための手段を備える、項目２２に記載の装置。
（項目２９）
前記第２のユーザによって実行される前記アクションを検出するための前記手段は、前記メディアアセットの再生を修正するコマンドを実行する前記第２のユーザを検出するための手段を備える、項目２２に記載の装置。
（項目３０）
前記第２のユーザによって実行される前記アクションを検出するための前記手段は、センサを使用して、前記第２のユーザがメディアアセットデバイスの前記視聴環境内に留まることを検出するための手段を備える、項目２２に記載の装置。
（項目３１）
前記第１のユーザから検出される前記コマンドおよび前記第２のユーザの読み出された特性に基づいて、前記メディアアセットの再生を修正するかどうかを決定するための前記手段は、
前記第１のユーザのランクおよび前記第２のユーザのランクを読み出すための手段と、
前記ランクから、前記第１のユーザが前記第２のユーザよりも高くランク付けされているかどうかを決定するための手段と、
前記第１のユーザが前記第２のユーザよりも高くランク付けされていることを決定することに応答して、前記メディアアセット再生を修正するための手段と、
前記第２のユーザが前記第１のユーザよりも高くランク付けされていることを決定することに応答して、前記メディアアセットを再生し続けるための手段と
を含む、項目２２に記載の装置。
（項目３２）
非一過性のコンピュータ可読媒体であって、前記非一過性のコンピュータ可読媒体は、メモリを備え、前記メモリは、無関係なコマンドを関連する再生修正に変換し、前記コマンドを実行するように前記コマンドの受信者を促すための、前記メモリ上にエンコードされた非一過性のコンピュータ可読命令を有しており、前記命令は、
第１のユーザから第２のユーザへのコマンドを検出するための命令と、
前記コマンドを、前記第２のユーザによって現在再生されているメディアアセットのための再生動作コマンドのセットと比較するための命令と、
前記比較することに応答して、前記コマンドが前記再生動作コマンドのセット内に含有されていないことを決定するための命令と、
前記第１のユーザのユーザプロファイルおよび前記第２のユーザのユーザプロファイルに基づいて、前記コマンドの複数の結果から前記コマンドの所望の結果を決定するための命令と、
前記第２のユーザによって実行されるアクションを検出するための命令と、
前記第２のユーザのアクションを前記コマンドの所望の結果と比較するための命令と、
前記第２のユーザのアクションが前記コマンドの所望の結果に対応しないことを決定することに応答して、前記第２のユーザのユーザプロファイルから前記第２のユーザの特性を読み出すための命令と、
前記第１のユーザから検出される前記コマンドおよび前記第２のユーザの読み出された特性に基づいて、前記メディアアセットの再生を修正するかどうかを決定するための命令と
を備える、非一過性のコンピュータ可読媒体。
（項目３３）
前記第１のユーザから検出される前記コマンドおよび前記第２のユーザの読み出された特性に基づいて、前記メディアアセットの再生を修正するかどうかを決定するための前記命令は、
前記第２のユーザの読み出された特性からの特性を前記コマンドと比較するための命令であって、前記特性は、年齢、ランク、他のユーザとの関係、および時刻から成る特性の群から選択され、前記コマンドは、食事、掃除、勉強、調理、および睡眠から成るコマンドの群から選択される、命令と、
前記比較から、前記コマンドが前記第２のユーザの特性を共有するかどうかを決定するための命令と、
前記コマンドが前記特性を共有することを決定することに応答して、前記メディアアセットの再生を修正するための命令と
を備える、項目３２に記載の非一過性のコンピュータ可読媒体。
（項目３４）
前記命令はさらに、
前記第１のユーザから前記第２のユーザおよび第３のユーザへのコマンドを検出するための命令と、
前記第１のユーザのユーザプロファイル、前記第２のユーザのユーザプロファイル、および前記第３のユーザのユーザプロファイルに基づいて、前記コマンドの複数の結果から前記コマンドの所望の結果を決定するための命令と、
前記第２のユーザによって実行される第１のアクションおよび前記第３のユーザによって実行される第２のアクションを検出するための命令と、
前記第２のユーザのアクションおよび前記第３のユーザのアクションを前記コマンドの所望の結果と比較するための命令と、
前記第２のユーザのアクションおよび前記第３のユーザのアクションが前記コマンドの所望の結果に対応しないことを決定することに応答して、前記第２のユーザのユーザプロファイルから前記第２のユーザの特性を、前記第３のユーザのユーザプロファイルから前記第３のユーザの特性を読み出すための命令と、
前記第１のユーザから検出される前記コマンドおよび前記第２のユーザの読み出された特性および前記第３のユーザの読み出された特性に基づいて、前記メディアアセットの再生を修正するかどうかを決定するための命令と
を備える、項目３２に記載の非一過性のコンピュータ可読媒体。
（項目３５）
前記第１のユーザからの前記コマンドを検出するための前記命令は、
前記第１のユーザからの口頭入力を検出するための命令と、
前記口頭入力をコマンドのデータベースと比較するための命令であって、前記データベースは、各口頭入力に対応するコマンドを含有する、命令と、
前記比較から、前記第１のユーザからの前記口頭入力に対応するコマンドを決定するための命令と
を備える、項目３２に記載の非一過性のコンピュータ可読媒体。
（項目３６）
前記比較から、前記第１のユーザからの前記口頭入力に対応するコマンドを決定するための前記命令は、
前記口頭入力と前記口頭コマンドのデータベースとの間の合致を決定するための命令と、
前記合致に対応するコマンドを、前記第１のユーザからの前記口頭入力に対応する前記コマンドであると決定するための命令と
を備える、項目３５に記載の非一過性のコンピュータ可読媒体。
（項目３７）
前記第１のユーザのユーザプロファイルおよび前記第２のユーザのユーザプロファイルに基づいて、前記コマンドの複数の結果から前記コマンドの所望の結果を決定するための前記命令はさらに、
前記コマンドの属性を決定するための命令と、
前記コマンドの属性を前記コマンドの複数の結果の属性と比較するための命令と、
前記比較から、前記コマンドの属性を含有する前記複数の結果の中の結果を、前記所望の結果であると決定するための命令と
を備える、項目３２に記載の非一過性のコンピュータ可読媒体。
（項目３８）
前記第２のユーザによって実行される前記アクションを検出するための前記命令は、センサを使用して、前記メディアアセットを提示しているメディア機器デバイスの視聴環境から退出する前記第２のユーザを検出するための命令を備える、項目３２に記載の非一過性のコンピュータ可読媒体。
（項目３９）
前記第２のユーザによって実行される前記アクションを検出するための前記命令は、前記メディアアセットの再生を修正するコマンドを実行する前記第２のユーザを検出するための命令を備える、項目３２に記載の非一過性のコンピュータ可読媒体。
（項目４０）
前記第２のユーザによって実行される前記アクションを検出するための前記命令は、センサを使用して、前記第２のユーザがメディアアセットデバイスの前記視聴環境内に留まることを検出するための命令を備える、項目３２に記載の非一過性のコンピュータ可読媒体。
（項目４１）
前記第１のユーザから検出される前記コマンドおよび前記第２のユーザの読み出された特性に基づいて、前記メディアアセットの再生を修正するかどうかを決定するための前記命令は、
前記第１のユーザのランクおよび前記第２のユーザのランクを読み出すための命令と、
前記ランクから、前記第１のユーザが前記第２のユーザよりも高くランク付けされているかどうかを決定するための命令と、
前記第１のユーザが前記第２のユーザよりも高くランク付けされていることを決定することに応答して、前記メディアアセットの再生を修正するための命令と、
前記第２のユーザが前記第１のユーザよりも高くランク付けされていることを決定することに応答して、前記メディアアセットを再生し続けるための命令と
を備える、項目３２に記載の非一過性のコンピュータ可読媒体。
（項目４２）
無関係なコマンドを関連する再生修正に変換し、前記コマンドを実行するように前記コマンドの受信者を促すための方法であって、前記方法は、
制御回路を使用して、第１のユーザから第２のユーザへのコマンドを検出することと、
前記コマンドを、前記第２のユーザによって現在再生されているメディアアセットのための再生動作コマンドのセットと比較することと、
前記比較することに応答して、前記コマンドが前記再生動作コマンドのセット内に含有されていないことを決定することと、
前記第１のユーザのユーザプロファイルおよび前記第２のユーザのユーザプロファイルに基づいて、前記コマンドの複数の結果から前記コマンドの所望の結果を決定することと、
前記第２のユーザによって実行されるアクションを検出することと、
前記第２のユーザのアクションを前記コマンドの所望の結果と比較することと、
前記第２のユーザのアクションが前記コマンドの所望の結果に対応しないことを決定することに応答して、前記第２のユーザのユーザプロファイルから前記第２のユーザの特性を読み出すことと、
前記第１のユーザから検出される前記コマンドおよび前記第２のユーザの読み出された特性に基づいて、前記メディアアセットの再生を修正するかどうかを決定することと
を含む、方法。
（項目４３）
前記第１のユーザから検出される前記コマンドおよび前記第２のユーザの読み出された特性に基づいて、前記メディアアセットの再生を修正するかどうかを決定することは、
前記第２のユーザの読み出された特性からの特性を前記コマンドと比較することであって、前記特性は、年齢、ランク、他のユーザとの関係、および時刻から成る特性の群から選択され、前記コマンドは、食事、掃除、勉強、調理、および睡眠から成るコマンドの群から選択される、ことと、
前記比較から、前記コマンドが前記第２のユーザの特性を共有するかどうかを決定することと、
前記コマンドが前記特性を共有することを決定することに応答して、前記メディアアセットの再生を修正することと
を含む、項目４２に記載の方法。
（項目４４）
前記第１のユーザから前記第２のユーザおよび第３のユーザへのコマンドを検出することと、
前記第１のユーザのユーザプロファイル、前記第２のユーザのユーザプロファイル、および前記第３のユーザのユーザプロファイルに基づいて、前記コマンドの複数の結果から前記コマンドの所望の結果を決定することと、
前記第２のユーザによって実行される第１のアクションおよび前記第３のユーザによって実行される第２のアクションを検出することと、
前記第２のユーザのアクションおよび前記第３のユーザのアクションを前記コマンドの所望の結果と比較することと、
前記第２のユーザのアクションおよび前記第３のユーザのアクションが前記コマンドの所望の結果に対応しないことを決定することに応答して、前記第２のユーザのユーザプロファイルから前記第２のユーザの特性を、前記第３のユーザのユーザプロファイルから前記第３のユーザの特性を読み出すことと、
前記第１のユーザから検出される前記コマンドおよび前記第２のユーザの読み出された特性および前記第３のユーザの読み出された特性に基づいて、前記メディアアセットの再生を修正するかどうかを決定することと
をさらに含む、項目４２−４３のいずれかに記載の方法。
（項目４５）
前記第１のユーザからの前記コマンドを検出することは、
前記第１のユーザからの口頭入力を検出することと、
前記口頭入力をコマンドのデータベースと比較することであって、前記データベースは、各口頭入力に対応するコマンドを含有する、ことと、
前記比較から、前記第１のユーザからの前記口頭入力に対応するコマンドを決定することと
を含む、項目４２−４４のいずれかに記載の方法。
（項目４６）
前記比較から、前記第１のユーザからの前記口頭入力に対応するコマンドを決定することは、
前記口頭入力と前記口頭コマンドのデータベースとの間の合致を決定することと、
前記合致に対応するコマンドを、前記第１のユーザからの前記口頭入力に対応する前記コマンドであると決定することと
を含む、項目４５に記載の方法。
（項目４７）
前記第１のユーザのユーザプロファイルおよび前記第２のユーザのユーザプロファイルに基づいて、前記コマンドの複数の結果から前記コマンドの所望の結果を決定することはさらに、
前記コマンドの属性を決定することと、
前記コマンドの属性を前記コマンドの複数の結果の属性と比較することと、
前記比較から、前記コマンドの属性を含有する前記複数の結果の中の結果を、前記所望の結果であると決定することと
を含む、項目４２−４６のいずれかに記載の方法。
（項目４８）
前記第２のユーザによって実行される前記アクションを検出することは、センサを使用して、前記メディアアセットを提示しているメディア機器デバイスの視聴環境から退出する前記第２のユーザを検出することを含む、項目４２−４７のいずれかに記載の方法。
（項目４９）
前記第２のユーザによって実行される前記アクションを検出することは、前記メディアアセットの再生を修正するコマンドを実行する前記第２のユーザを検出することを含む、項目４２−４８のいずれかに記載の方法。
（項目５０）
前記第２のユーザによって実行される前記アクションを検出することは、センサを使用して、前記第２のユーザがメディアアセットデバイスの前記視聴環境内に留まることを検出することを含む、項目４２−４９のいずれかに記載の方法。
（項目５１）
前記第１のユーザから検出される前記コマンドおよび前記第２のユーザの読み出された特性に基づいて、前記メディアアセットの再生を修正するかどうかを決定することは、
前記第１のユーザのランクおよび前記第２のユーザのランクを読み出すことと、
前記ランクから、前記第１のユーザが前記第２のユーザよりも高くランク付けされているかどうかを決定することと、
前記第１のユーザが前記第２のユーザよりも高くランク付けされていることを決定することに応答して、前記メディアアセットの再生を修正することと、
前記第２のユーザが前記第１のユーザよりも高くランク付けされていることを決定することに応答して、前記メディアアセットを再生し続けることと
を含む、項目４２−５０のいずれかに記載の方法。
（項目５２）
方法であって、
メディア機器デバイスの外部の第１のデバイスによって生成される音声を検出することと、
ルックアップテーブルから、前記音声と関連付けられる既知の目標を読み出すことと、
視聴環境内のユーザを検出することと、
前記ユーザの身元を決定することと、
再生を修正し、前記ユーザの身元に基づいて、前記ユーザが前記既知の目標を達成することを促す、または妨げることと
を含む、方法。
（項目５３）
ユーザが音声に対応する目標を満たすアクションを実施する権限を与えられているかどうかを決定するための方法であって、
メディア機器デバイスの外部の第１のデバイスによって生成される音声を検出することと、
複数の目標の中の各目標を、複数のアクションの中のアクションのセットおよび複数の音声の中の音声と関連付けるデータベースを記憶することと、
前記第１のデバイスによって生成される前記音声を、前記データベース内のエントリの特性と比較し、前記音声に対応する目標および前記目標と関連付けられる対応するアクションのセットを決定することと、
前記メディア機器デバイスの視聴環境内のユーザを検出することと、
前記ユーザのためのユーザプロファイルから、前記ユーザが前記目標と関連付けられる前記決定されたアクションのセットの中のアクションを実施する権限を与えられているかどうかを決定することと、
前記ユーザが前記アクションを実施する権限を与えられていることを決定することに応答して、
前記検出された音声を示す前記ユーザのための通知を生成することと、
メディアアセットの再生を修正し、前記目標と関連付けられる前記アクションを実施するように前記ユーザを促すことと、
前記ユーザが前記アクションを実施する権限を与えられていないことを決定することに応答して、第２のユーザが前記アクションを実施するための通知を生成することと
を含む、方法。
（項目５４）
前記音声が前記視聴環境の可聴範囲内であることを決定することと、
前記ユーザが前記アクションを実施する権限を与えられていないことを決定することに応答して、前記ユーザが前記メディアアセットの再生を修正することを防止することと
をさらに含む、項目５３に記載の方法。
（項目５５）
前記メディアアセットの再生を修正し、前記ユーザが前記目標と関連付けられる前記アクションを実施することを防止することをさらに含む、項目５４に記載の方法。
（項目５６）
前記メディアアセットの再生を修正することは、
前記可聴範囲内である前記音声を減衰させる音量を決定することと、
前記音声を減衰させる音量であるように、前記メディアアセットの再生に対応する音量を調節することと
を含む、項目５５に記載の方法。
（項目５７）
前記第１のデバイスによって生成される前記音声を前記データベースと比較し、前記音声と関連付けられる目標および前記目標と関連付けられる前記対応するアクションのセットを決定することは、
前記音声の特性に基づいて、前記音声と前記データベース内のエントリとの間の合致を決定することと、
前記エントリから、前記音声に対応する前記目標を読み出すことと、
前記エントリから、前記目標と関連付けられる前記対応するアクションのセットを読み出すことと
を含む、項目５３に記載の方法。
（項目５８）
前記メディアデバイスの視聴環境内の前記ユーザを検出することは、センサを使用して、前記視聴環境内の前記ユーザの存在を検出することを含む、項目５３に記載の方法。
（項目５９）
前記検出された音声を示す前記ユーザのための通知を生成することは、前記メディア機器デバイス上に表示されるべきオーバーレイを生成することを含み、前記オーバーレイは、前記音声についての前記ユーザのための通知を含有する、項目５３に記載の方法。
（項目６０）
前記音声は、ドアベルから検出される、項目５３に記載の方法。
（項目６１）
前記メディアアセットの再生を修正し、前記ユーザが前記目標と関連付けられる前記アクションを実施することを可能にすることは、
前記データベースから、前記目標と関連付けられる再生修正のセットを読み出すことと、
前記ユーザのための選好に基づいて、前記再生修正のセットから再生修正を選択することと、
前記選択された再生修正に基づいて、前記メディアアセットの再生を修正することと
を含む、項目５３に記載の方法。
（項目６２）
前記ユーザのためのユーザプロファイルから、前記ユーザが前記目標と関連付けられる前記決定されたアクションのセットの中のアクションを実施する権限を与えられているかどうかを決定することは、
前記ユーザプロファイルから、前記ユーザのためのランクを読み出すことと、
データベースから、アクションのためのランクを読み出すことと、
前記ユーザのためのランクが前記アクションのためのランクを超えるかどうかを決定することと、
前記ユーザのためのランクが前記アクションのためのランクを超えることを決定することに応答して、前記ユーザが前記アクションを実施する権限を与えられていることを決定することと
を含む、項目５３に記載の方法。
（項目６３）
ユーザが音声に対応する目標を満たすアクションを実施する権限を与えられているかどうかを決定するためのシステムであって、
制御回路であって、
メディア機器デバイスの外部の第１のデバイスによって生成される音声を検出することと、
複数の目標の中の各目標を、複数のアクションの中のアクションのセットおよび複数の音声の中の音声と関連付けるデータベースを記憶することと、
前記第１のデバイスによって生成される前記音声を、前記データベース内のエントリの特性と比較し、前記音声に対応する目標および前記目標と関連付けられる対応するアクションのセットを決定することと、
前記メディア機器デバイスの視聴環境内のユーザを検出することと、
前記ユーザのためのユーザプロファイルから、前記ユーザが前記目標と関連付けられる前記決定されたアクションのセットの中のアクションを実施する権限を与えられているかどうかを決定することと、
前記ユーザが前記アクションを実施する権限を与えられていることを決定することに応答して、
前記検出された音声を示す前記ユーザのための通知を生成することと、
メディアアセットの再生を修正して、前記目標と関連付けられる前記アクションを実施するように前記ユーザを促すことと、
前記ユーザが前記アクションを実施する権限を与えられていないことを決定することに応答して、第２のユーザが前記アクションを実施するための通知を生成することと
を行うように構成される、制御回路
を備える、システム。
（項目６４）
制御回路はさらに、
前記音声が前記視聴環境の可聴範囲内であることを決定することと、
前記ユーザが前記アクションを実施する権限を与えられていないことを決定することに応答して、前記ユーザが前記メディアアセットの再生を修正することを防止することと
を行うように構成される、項目６３に記載のシステム。
（項目６５）
制御回路はさらに、前記メディアアセットの再生を修正し、前記ユーザが前記目標と関連付けられる前記アクションを実施することを防止するように構成される、項目６４に記載のシステム。
（項目６６）
前記制御回路は、
前記可聴範囲内である前記音声を減衰させる音量を決定することと、
前記音声を減衰させる音量であるように、前記メディアアセットの再生に対応する音量を調節することと
によって、前記メディアアセットの再生を修正するように構成される、
項目６５に記載のシステム。
（項目６７）
前記制御回路は、
前記音声の特性に基づいて、前記音声と前記データベース内のエントリとの間の合致を決定することと、
前記エントリから、前記音声に対応する前記目標を読み出すことと、
前記エントリから、前記目標と関連付けられる前記対応するアクションのセットを読み出すことと
によって、前記第１のデバイスによって生成される前記音声を前記データベースと比較し、前記音声と関連付けられる目標および前記目標と関連付けられる前記対応するアクションのセットを決定するように構成される、項目６３に記載のシステム。
（項目６８）
前記制御回路は、センサを使用して、前記視聴環境内の前記ユーザの存在を検出することによって、前記メディアデバイスの視聴環境内の前記ユーザを検出するように構成される、項目１２に記載のシステム。
（項目６９）
前記制御回路は、前記メディア機器デバイス上に表示されるべきオーバーレイを生成することによって、前記検出された音声を示す前記ユーザのための通知を生成するように構成され、前記オーバーレイは、前記音声についての前記ユーザのための通知を含有する、項目６３に記載のシステム。
（項目７０）
前記音声は、ドアベルから検出される、項目６３に記載のシステム。
（項目７１）
前記制御回路は、
前記データベースから、前記目標と関連付けられる再生修正のセットを読み出すことと、
前記ユーザのための選好に基づいて、前記再生修正のセットから再生修正を選択することと、
前記選択された再生修正に基づいて、前記メディアアセットの再生を修正することと
によって、前記メディアアセットの再生を修正し、前記ユーザが前記目標と関連付けられる前記アクションを実施することを可能にするように構成される、項目１２に記載のシステム。
（項目７２）
前記制御回路は、
前記ユーザプロファイルから、前記ユーザのためのランクを読み出すことと、
データベースから、アクションのためのランクを読み出すことと、
前記ユーザのためのランクが前記アクションのためのランクを超えるかどうかを決定することと、
前記ユーザのためのランクが前記アクションのためのランクを超えることを決定することに応答して、前記ユーザが前記アクションを実施する権限を与えられていることを決定することと
によって、前記ユーザのためのユーザプロファイルから、前記ユーザが前記目標と関連付けられる前記決定されたアクションのセットの中のアクションを実施する権限を与えられているかどうかを決定するように構成される、項目６３に記載のシステム。
（項目７３）
ユーザが音声に対応する目標を満たすアクションを実施する権限を与えられているかどうかを決定するための装置であって、前記装置は、
メディア機器デバイスの外部の第１のデバイスによって生成される音声を検出するための手段と、
複数の目標の中の各目標を、複数のアクションの中のアクションのセットおよび複数の音声の中の音声と関連付けるデータベースを記憶するための手段と、
前記第１のデバイスによって生成される前記音声を、前記データベース内のエントリの特性と比較し、前記音声に対応する目標および前記目標と関連付けられる対応するアクションのセットを決定するための手段と、
前記メディア機器デバイスの視聴環境内のユーザを検出するための手段と、
前記ユーザのためのユーザプロファイルから、前記ユーザが前記目標と関連付けられる前記決定されたアクションのセットの中のアクションを実施する権限を与えられているかどうかを決定するための手段と、
前記ユーザが前記アクションを実施する権限を与えられていることを決定することに応答して、
前記検出された音声を示す前記ユーザのための通知を生成するための手段と、
メディアアセットの再生を修正し、前記目標と関連付けられる前記アクションを実施するように前記ユーザを促すための手段と、
前記ユーザが前記アクションを実施する権限を与えられていないことを決定することに応答して、第２のユーザが前記アクションを実施するための通知を生成するための手段と
を備える、装置。
（項目７４）
前記音声が前記視聴環境の可聴範囲内であることを決定するための手段と、
前記ユーザが前記アクションを実施する権限を与えられていないことを決定することに応答して、前記ユーザが前記メディアアセットの再生を修正することを防止するための手段と
をさらに備える、項目７３に記載の装置。
（項目７５）
前記メディアアセットの再生を修正し、前記ユーザが前記目標と関連付けられる前記アクションを実施することを防止するための手段をさらに備える、項目７４に記載の装置。
（項目７６）
前記メディアアセットの再生を修正するための前記手段は、
前記可聴範囲内である前記音声を減衰させる音量を決定するための手段と、
前記音声を減衰させる音量であるように、前記メディアアセットの再生に対応する音量を調節するための手段と
を備える、項目７５に記載の装置。
（項目７７）
前記第１のデバイスによって生成される前記音声を前記データベースと比較し、前記音声と関連付けられる目標および前記目標と関連付けられる前記対応するアクションのセットを決定するための前記手段は、
前記音声の特性に基づいて、前記音声と前記データベース内のエントリとの間の合致を決定するための手段と、
前記エントリから、前記音声に対応する前記目標を読み出すための手段と、
前記エントリから、前記目標と関連付けられる前記対応するアクションのセットを読み出すための手段と
を備える、項目７３に記載の装置。
（項目７８）
前記メディアデバイスの視聴環境内の前記ユーザを検出するための前記手段は、センサを使用して、前記視聴環境内の前記ユーザの存在を検出するための手段を備える、項目７３に記載の装置。
（項目７９）
前記検出された音声を示す前記ユーザのための通知を生成するための前記手段は、前記メディア機器デバイス上に表示されるべきオーバーレイを生成するための手段を備え、前記オーバーレイは、前記音声についての前記ユーザのための通知を含有する、項目７３に記載の装置。
（項目８０）
前記音声は、ドアベルから検出される、項目７３に記載の装置。
（項目８１）
前記メディアアセットの再生を修正し、前記ユーザが前記目標と関連付けられる前記アクションを実施することを可能にするための前記手段は、
前記データベースから、前記目標と関連付けられる再生修正のセットを読み出すための手段と、
前記ユーザのための選好に基づいて、前記再生修正のセットから再生修正を選択するための手段と、
前記選択された再生修正に基づいて、前記メディアアセットの再生を修正するための手段と
を備える、項目７３に記載の装置。
（項目８２）
前記ユーザのためのユーザプロファイルから、前記ユーザが前記目標と関連付けられる前記決定されたアクションのセットの中のアクションを実施する権限を与えられているかどうかを決定するための前記手段は、
前記ユーザプロファイルから、前記ユーザのためのランクを読み出すための手段と、
データベースから、アクションのためのランクを読み出すための手段と、
前記ユーザのためのランクが前記アクションのためのランクを超えるかどうかを決定するための手段と、
前記ユーザのためのランクが前記アクションのためのランクを超えることを決定することに応答して、前記ユーザが前記アクションを実施する権限を与えられていることを決定するための手段と
を備える、項目７３に記載の装置。
（項目８３）
非一過性のコンピュータ可読媒体であって、前記非一過性のコンピュータ可読媒体は、ユーザが音声に対応する目標を満たすアクションを実施する権限を与えられているかどうかを決定するための、前記非一過性のコンピュータ可読媒体上にエンコードされた非一過性のコンピュータ可読命令を有しており、前記命令は、
メディア機器デバイスの外部の第１のデバイスによって生成される音声を検出するための命令と、
複数の目標の中の各目標を、複数のアクションの中のアクションのセットおよび複数の音声の中の音声と関連付けるデータベースを記憶するための命令と、
前記第１のデバイスによって生成される前記音声を、前記データベース内のエントリの特性と比較し、前記音声に対応する目標および前記目標と関連付けられる対応するアクションのセットを決定するための命令と、
前記メディア機器デバイスの視聴環境内のユーザを検出するための命令と、
前記ユーザのためのユーザプロファイルから、前記ユーザが前記目標と関連付けられる前記決定されたアクションのセットの中のアクションを実施する権限を与えられているかどうかを決定するための命令と、
前記ユーザが前記アクションを実施する権限を与えられていることを決定することに応答して、
前記検出された音声を示す前記ユーザのための通知を生成するための命令と、
メディアアセットの再生を修正し、前記目標と関連付けられる前記アクションを実施するように前記ユーザを促すための命令と、
前記ユーザが前記アクションを実施する権限を与えられていないことを決定することに応答して、第２のユーザが前記アクションを実施するための通知を生成するための命令と
を備える、非一過性のコンピュータ可読媒体。
（項目８４）
前記命令はさらに、
前記音声が前記視聴環境の可聴範囲内であることを決定するための命令と、
前記ユーザが前記アクションを実施する権限を与えられていないことを決定することに応答して、前記ユーザが前記メディアアセットの再生を修正することを防止するための命令と
を備える、項目８３に記載の非一過性のコンピュータ可読媒体。
（項目８５）
前記命令はさらに、前記メディアアセットの再生を修正し、前記ユーザが前記目標と関連付けられる前記アクションを実施することを防止するための命令を備える、項目８４に記載の非一過性のコンピュータ可読媒体。
（項目８６）
前記メディアアセットの再生を修正するための前記命令は、
前記可聴範囲内である前記音声を減衰させる音量を決定するための命令と、
前記音声を減衰させる音量であるように、前記メディアアセットの再生に対応する音量を調節するための命令と
を備える、項目８５に記載の非一過性のコンピュータ可読媒体。
（項目８７）
前記第１のデバイスによって生成される前記音声を前記データベースと比較し、前記音声と関連付けられる目標および前記目標と関連付けられる前記対応するアクションのセットを決定するための前記命令は、
前記音声の特性に基づいて、前記音声と前記データベース内のエントリとの間の合致を決定するための命令と、
前記エントリから、前記音声に対応する前記目標を読み出すための命令と、
前記エントリから、前記目標と関連付けられる前記対応するアクションのセットを読み出すための命令と
を備える、項目８３に記載の非一過性のコンピュータ可読媒体。
（項目８８）
前記メディアデバイスの視聴環境内の前記ユーザを検出するための前記命令は、センサを使用して、前記視聴環境内の前記ユーザの存在を検出するための命令を備える、項目８３に記載の非一過性のコンピュータ可読媒体。
（項目８９）
前記検出された音声を示す前記ユーザのための通知を生成するための前記命令は、前記メディア機器デバイス上に表示されるべきオーバーレイを生成するための命令を備え、前記オーバーレイは、前記音声についての前記ユーザのための通知を含有する、項目８３に記載の非一過性のコンピュータ可読媒体。
（項目９０）
前記音声は、ドアベルから検出される、項目８３に記載の非一過性のコンピュータ可読媒体。
（項目９１）
前記メディアアセットの再生を修正し、前記ユーザが前記目標と関連付けられる前記アクションを実施することを可能にするための前記命令は、
前記データベースから、前記目標と関連付けられる再生修正のセットを読み出すための命令と、
前記ユーザのための選好に基づいて、前記再生修正のセットから再生修正を選択するための命令と、
前記選択された再生修正に基づいて、前記メディアアセットの再生を修正するための命令と
を備える、項目８３に記載の非一過性のコンピュータ可読媒体。
（項目９２）
前記ユーザのためのユーザプロファイルから、前記ユーザが前記目標と関連付けられる前記決定されたアクションのセットの中のアクションを実施する権限を与えられているかどうかを決定するための前記命令は、
前記ユーザプロファイルから、前記ユーザのためのランクを読み出すための命令と、
データベースから、アクションのためのランクを読み出すための命令と、
前記ユーザのためのランクが前記アクションのためのランクを超えるかどうかを決定するための命令と、
前記ユーザのためのランクが前記アクションのためのランクを超えることを決定することに応答して、前記ユーザが前記アクションを実施する権限を与えられていることを決定するための命令と
を備える、項目８３に記載の非一過性のコンピュータ可読媒体。
（項目９３）
ユーザが音声に対応する目標を満たすアクションを実施する権限を与えられているかどうかを決定するための方法であって、
制御回路を使用して、メディア機器デバイスの外部の第１のデバイスによって生成される音声を検出することと、
複数の目標の中の各目標を、複数のアクションの中のアクションのセットおよび複数の音声の中の音声と関連付けるデータベースを記憶することと、
前記第１のデバイスによって生成される前記音声を、前記データベース内のエントリの特性と比較し、前記音声に対応する目標および前記目標と関連付けられる対応するアクションのセットを決定することと、
前記メディア機器デバイスの視聴環境内のユーザを検出することと、
前記ユーザのためのユーザプロファイルから、前記ユーザが前記目標と関連付けられる前記決定されたアクションのセットの中のアクションを実施する権限を与えられているかどうかを決定することと、
前記ユーザが前記アクションを実施する権限を与えられていることを決定することに応答して、
前記検出された音声を示す前記ユーザのための通知を生成することと、
メディアアセットの再生を修正し、前記目標と関連付けられる前記アクションを実施するように前記ユーザを促すことと、
前記ユーザが前記アクションを実施する権限を与えられていないことを決定することに応答して、第２のユーザが前記アクションを実施するための通知を生成することと
を含む、方法。
（項目９４）
前記音声が前記視聴環境の可聴範囲内であることを決定することと、
前記ユーザが前記アクションを実施する権限を与えられていないことを決定することに応答して、前記ユーザが前記メディアアセットの再生を修正することを防止することと
をさらに含む、項目９３に記載の方法。
（項目９５）
前記メディアアセットの再生を修正し、前記ユーザが前記目標と関連付けられる前記アクションを実施することを防止することをさらに含む、項目９４に記載の方法。
（項目９６）
前記メディアアセットの再生を修正することは、
前記可聴範囲内である前記音声を減衰させる音量を決定することと、
前記音声を減衰させる音量であるように、前記メディアアセットの再生に対応する音量を調節することと
を含む、項目９５に記載の方法。
（項目９７）
前記第１のデバイスによって生成される前記音声を前記データベースと比較し、前記音声と関連付けられる目標および前記目標と関連付けられる前記対応するアクションのセットを決定することは、
前記音声の特性に基づいて、前記音声と前記データベース内のエントリとの間の合致を決定することと、
前記エントリから、前記音声に対応する前記目標を読み出すことと、
前記エントリから、前記目標と関連付けられる前記対応するアクションのセットを読み出すことと
を含む、項目９３−９６のいずれかに記載の方法。
（項目９８）
前記メディアデバイスの視聴環境内の前記ユーザを検出することは、センサを使用して、前記視聴環境内の前記ユーザの存在を検出することを含む、項目９３−９７のいずれかに記載の方法。
（項目９９）
前記検出された音声を示す前記ユーザのための通知を生成することは、前記メディア機器デバイス上に表示されるべきオーバーレイを生成することを含み、前記オーバーレイは、前記音声についての前記ユーザのための通知を含有する、項目４３−９８のいずれかに記載の方法。
（項目１００）
前記音声は、ドアベルから検出される、項目９３−９９のいずれかに記載の方法。
（項目１０１）
前記メディアアセットの再生を修正し、前記ユーザが前記目標と関連付けられる前記アクションを実施することを可能にすることは、
前記データベースから、前記目標と関連付けられる再生修正のセットを読み出すことと、
前記ユーザのための選好に基づいて、前記再生修正のセットから再生修正を選択することと、
前記選択された再生修正に基づいて、前記メディアアセットの再生を修正することと
を含む、項目９３−１００のいずれかに記載の方法。
（項目１０２）
前記ユーザのためのユーザプロファイルから、前記ユーザが前記目標と関連付けられる前記決定されたアクションのセットの中のアクションを実施する権限を与えられているかどうかを決定することは、
前記ユーザプロファイルから、前記ユーザのためのランクを読み出すことと、
データベースから、アクションのためのランクを読み出すことと、
前記ユーザのためのランクが前記アクションのためのランクを超えるかどうかを決定することと、
前記ユーザのためのランクが前記アクションのためのランクを超えることを決定することに応答して、前記ユーザが前記アクションを実施する権限を与えられていることを決定することと
を含む、項目９３−１０１のいずれかに記載の方法。